(57)【要約】【課題】給排気装置を小型化するとともに、その構成を容易にすることが目的とされる。【解決手段】給排気装置７Ａは、湿度調整体１０１、吸気口７０１ａ，７０２ａ、排気口７０１ｂ，７０２ｂ、転流回路８及び直流電源９を備える。湿度調整体１０１は、方向Ｙへと気体を導くヒートシンク２（フィン２１）、方向Ｚへと気体を導くヒートシンク３（フィン３１）、方向Ｘにおいてヒートシンク２，３の間に挟まれるペルチェモジュール１を有する。吸気口７０１ａ及び排気口７０１ｂはヒートシンク２，３の一方を介して、吸気口７０２ａ及び排気口７０２ｂはヒートシンク２，３の他方を介して、それぞれ相互に連通する。湿度調整体１０１は、回動自在であり、９０度回動させることで、所定の方向から与えられる気体を湿度調整体１０１における方向Ｙ，Ｚに切り替えて導く。それに伴って、転流回路８においてペルチェモジュール１に供給する電圧を反転させる。【選択図】図２
2005230716.tif 000002
【特許請求の範囲】
【請求項１】
第１方向（Ｘ）に沿った軸の周りで回動自在な湿度調整体（１０１）であって、
前記湿度調整体において前記第１方向に対して直交する第２方向（Ｙ）へと気体を導き、前記湿度調整体において前記第１方向及び前記第２方向のいずれとも直交する第３方向（Ｚ）への前記気体の移動を阻み、吸湿剤が担持された第１ヒートシンク（２）と、
前記湿度調整体における前記第３方向へと気体を導き、前記湿度調整体における前記第２方向への前記気体の移動を阻み、吸湿剤が担持された第２ヒートシンク（３）と、
前記第１ヒートシンクに接触する第１面（１ａ）と、前記第２ヒートシンクに接触する第２面（１ｂ）とを有し、前記第１面と前記第２面のいずれか一方を吸熱面として、他方を発熱面として、相互に切り替え可能に機能し、前記第１方向において前記第１ヒートシンクと前記第２ヒートシンクとの間に挟まれた熱電素子（１）と
を備える、湿度調整体。
【請求項２】
第１方向（Ｘ）に沿った軸の周りで回動自在な湿度調整体（１０２）であって、
前記湿度調整体において前記第１方向に対して直交する第２方向（Ｙ２）への気体の移動を可能とし、吸湿剤が担持された第１ヒートシンク（４）と、
前記湿度調整体において前記第２方向と反対の第３方向（Ｙ１）への気体の移動を可能とし、吸湿剤が担持された第２ヒートシンク（５）と、
前記第１ヒートシンクに接触する第１面（１ａ）と、前記第２ヒートシンクに接触する第２面（１ｂ）とを有し、前記第１面と前記第２面のいずれか一方を吸熱面として、他方を発熱面として、相互に切り替え可能に機能し、前記第１面及び前記第２面のいずれもが前記第１方向及び前記第２方向に平行な熱電素子（１）と
を備える、湿度調整体。
【請求項３】
請求項１及び請求項２のいずれか一つに記載の湿度調整体（１０１；１０２）と、
前記第１のヒートシンク（２；４）及び前記第２のヒートシンク（３；５）の一方を介して相互に連通する第１吸気口（７０１ａ，７０１ｃ；７０３ａ）及び第１排気口（７０１ｂ；７０３ｂ）と、
前記第１のヒートシンク及び前記第２のヒートシンクの他方を介して相互に連通する第２吸気口（７０２ａ，７０２ｃ；７０４ａ）及び第２排気口（７０２ｂ；７０４ｂ）と、
前記湿度調整体と共に、前記第１吸気口及び前記第１排気口と、前記第２吸気口及び前記第２排気口とを相互に隔離する隔離壁（７１；７２）と
を備える、給排気装置（７Ａ；７Ｂ）。
【請求項４】
請求項２記載の湿度調整体（１０２）と、
前記第１のヒートシンク（４）及び前記第２のヒートシンク（５）の一方を介して相互に連通する第１吸気口（７０３ａ）及び第１排気口（７０３ｂ）と、
前記第１のヒートシンク及び前記第２のヒートシンクの他方を介して相互に連通する第２吸気口（７０４ａ）及び第２排気口（７０４ｂ）と、
前記湿度調整体と共に、前記第１吸気口及び前記第１排気口から前記第２吸気口への気体の移動、前記第２吸気口及び前記第２排気口から前記第１吸気口への気体の移動を阻む隔離壁（７２，１３２，１３３）と
を備える、給排気装置（７Ｂ）。
【請求項５】
第１方向（Ｘ）に沿った軸の周りで回動自在な遮蔽体（６）であって、前記遮蔽体は前記遮蔽体において前記第１方向に対して直交する第２方向（Ｙ）へと気体を導く第１の遮蔽板対（６１ａ，６１ｂ）と、前記遮蔽体において前記第１方向及び前記第２方向のいずれとも直交する第３方向（Ｚ）へと気体を導く第２の遮蔽板対（６２ａ、６２ｂ）とを有し、前記第１の遮蔽板対と前記第２の遮蔽板対とが前記第１方向に並ぶ前記遮蔽体と、
前記遮蔽体で囲まれ、前記第１方向に延在して吸湿剤が担持された第１の柱（２２）の複数を有する第１ヒートシンク（２０）と、前記第１方向に延在して吸湿剤が担持された第２の柱（３２）の複数を有する第２ヒートシンク（３０）と、前記第１ヒートシンクに接触する第１面（１ａ）と、前記第２ヒートシンクに接触する第２面（１ｂ）とを有し、前記第１面と前記第２面のいずれか一方を吸熱面とし、他方を発熱面として、相互に切り替え可能に機能し、前記第１方向において前記第１ヒートシンクと前記第２ヒートシンクとの間に挟まれた熱電素子（１）とを有する湿度調整体（１０３）と、
前記第１の遮蔽板対及び前記第２の遮蔽板対の一方を介して相互に通連する第１吸気口（７０５ａ）及び第１排気口（７０５ｂ）と、
前記第１遮蔽板対及び前記第２の遮蔽板対の他方を介して相互に連通する第２吸気口（７０６ａ）及び第２排気口（７０６ｂ）と、
前記湿度調整体と共に、前記第１吸気口及び前記第１排気口と、前記第２吸気口及び前記第２排気口とを相互に隔離する隔離壁（７３）と
を備える、給排気装置（７Ｃ）。
【請求項６】
前記熱電素子（１）に電圧を供給する直流電源（９）と、
前記直流電源と前記熱電素子との間に介在し、前記電圧を反転する転流回路（８）と
を更に備える、請求項３乃至請求項５のいずれか一つに記載の給排気装置。
【発明の詳細な説明】
【技術分野】
【０００１】
本発明は、湿度調整体及び給排気装置に関し、例えば空調機に適用することができる。
【背景技術】
【０００２】
従来の給排気装置は、除湿側と再生側とを有するロータ型の吸湿剤、例えばデシカントロータを設けていた。除湿側では、例えば室外から送り込まれた空気を除湿して室内へ送り込む。再生側では、ヒータ等で暖められた空気が送り込まれて、吸湿剤を乾燥させる。
【０００３】
このような給排気装置においては、除湿側では除湿する際に吸着熱が発生するため、除湿された空気が暖められる。よって、室内を冷やす場合には、冷却装置等を使用することにより、除湿された空気を冷却する必要があった。また、再生側で用いられるヒータは、吸湿剤と分離して設けられていた。このため、給排気装置の大型化及び複雑化を招いていた。
【０００４】
そこで最近では、ペルチェモジュールを用いた技術が開発されている。つまり、ペルチェモジュールによって、除湿側で発生した吸着熱を吸熱し、吸熱した熱を再生側に移動させて吸湿剤の再生に用いる。この技術は、例えば特許文献１や特許文献２に開示されている。
【０００５】
【特許文献１】特開２０００−５５５１号公報
【特許文献２】特開２００２−１１５８６９号公報
【発明の開示】
【発明が解決しようとする課題】
【０００６】
従来の技術では、吸湿剤の除湿側に流れる空気と、再生側に流れる空気とを相互に交換するために、例えば四方弁等の切り替えバルブによって配管を切り替えていた。このため、給排気装置を大型化していた。また、給排気装置の構成が複雑化する可能性もあった。
【０００７】
本発明は、上述の事情に鑑みてなされたものであり、給排気装置を小型化するとともに、その構成を容易にすることが目的とされる。
【課題を解決するための手段】
【０００８】
この発明の請求項１にかかる湿度調整体は、第１方向（Ｘ）に沿った軸の周りで回動自在な湿度調整体（１０１）であって、前記湿度調整体において前記第１方向に対して直交する第２方向（Ｙ）へと気体を導き、前記湿度調整体において前記第１方向及び前記第２方向のいずれとも直交する第３方向（Ｚ）への前記気体の移動を阻み、吸湿剤が担持された第１ヒートシンク（２）と、前記湿度調整体における前記第３方向へと気体を導き、前記湿度調整体における前記第２方向への前記気体の移動を阻み、吸湿剤が担持された第２ヒートシンク（３）と、前記第１ヒートシンクに接触する第１面（１ａ）と、前記第２ヒートシンクに接触する第２面（１ｂ）とを有し、前記第１面と前記第２面のいずれか一方を吸熱面として、他方を発熱面として、相互に切り替え可能に機能し、前記第１方向において前記第１ヒートシンクと前記第２ヒートシンクとの間に挟まれた熱電素子（１）とを備える。
【０００９】
この発明の請求項２にかかる湿度調整体は、第１方向（Ｘ）に沿った軸の周りで回動自在な湿度調整体（１０２）であって、前記湿度調整体において前記第１方向に対して直交する第２方向（Ｙ２）への気体の移動を可能とし、吸湿剤が担持された第１ヒートシンク（４）と、前記湿度調整体において前記第２方向と反対の第３方向（Ｙ１）への気体の移動を可能とし、吸湿剤が担持された第２ヒートシンク（５）と、前記第１ヒートシンクに接触する第１面（１ａ）と、前記第２ヒートシンクに接触する第２面（１ｂ）とを有し、前記第１面と前記第２面のいずれか一方を吸熱面として、他方を発熱面として、相互に切り替え可能に機能し、前記第１面及び前記第２面のいずれもが前記第１方向及び前記第２方向に平行な熱電素子（１）とを備える。
【００１０】
この発明の請求項３にかかる給排気装置は、請求項１及び請求項２のいずれか一つに記載の湿度調整体（１０１；１０２）と、前記第１のヒートシンク（２；４）及び前記第２のヒートシンク（３；５）の一方を介して相互に連通する第１吸気口（７０１ａ，７０１ｃ；７０３ａ）及び第１排気口（７０１ｂ；７０３ｂ）と、前記第１のヒートシンク及び前記第２のヒートシンクの他方を介して相互に連通する第２吸気口（７０２ａ，７０２ｃ；７０４ａ）及び第２排気口（７０２ｂ；７０４ｂ）と、前記湿度調整体と共に、前記第１吸気口及び前記第１排気口と、前記第２吸気口及び前記第２排気口とを相互に隔離する隔離壁（７１；７２）とを備える。
【００１１】
この発明の請求項４にかかる給排気装置は、請求項２記載の湿度調整体（１０２）と、前記第１のヒートシンク（４）及び前記第２のヒートシンク（５）の一方を介して相互に連通する第１吸気口（７０３ａ）及び第１排気口（７０３ｂ）と、前記第１のヒートシンク及び前記第２のヒートシンクの他方を介して相互に連通する第２吸気口（７０４ａ）及び第２排気口（７０４ｂ）と、前記湿度調整体と共に、前記第１吸気口及び前記第１排気口から前記第２吸気口への気体の移動、前記第２吸気口及び前記第２排気口から前記第１吸気口への気体の移動を阻む隔離壁（７２，１３２，１３３）とを備える。
【００１２】
この発明の請求項５にかかる給排気装置は、第１方向（Ｘ）に沿った軸の周りで回動自在な遮蔽体（６）であって、前記遮蔽体は前記遮蔽体において前記第１方向に対して直交する第２方向（Ｙ）へと気体を導く第１の遮蔽板対（６１ａ，６１ｂ）と、前記遮蔽体において前記第１方向及び前記第２方向のいずれとも直交する第３方向（Ｚ）へと気体を導く第２の遮蔽板対（６２ａ、６２ｂ）とを有し、前記第１の遮蔽板対と前記第２の遮蔽板対とが前記第１方向に並ぶ前記遮蔽体と、前記遮蔽体で囲まれ、前記第１方向に延在して吸湿剤が担持された第１の柱（２２）の複数を有する第１ヒートシンク（２０）と、前記第１方向に延在して吸湿剤が担持された第２の柱（３２）の複数を有する第２ヒートシンク（３０）と、前記第１ヒートシンクに接触する第１面（１ａ）と、前記第２ヒートシンクに接触する第２面（１ｂ）とを有し、前記第１面と前記第２面のいずれか一方を吸熱面とし、他方を発熱面として、相互に切り替え可能に機能し、前記第１方向において前記第１ヒートシンクと前記第２ヒートシンクとの間に挟まれた熱電素子（１）とを有する湿度調整体（１０３）と、前記第１の遮蔽板対及び前記第２の遮蔽板対の一方を介して相互に通連する第１吸気口（７０５ａ）及び第１排気口（７０５ｂ）と、前記第１遮蔽板対及び前記第２の遮蔽板対の他方を介して相互に連通する第２吸気口（７０６ａ）及び第２排気口（７０６ｂ）と、前記湿度調整体と共に、前記第１吸気口及び前記第１排気口と、前記第２吸気口及び前記第２排気口とを相互に隔離する隔離壁（７３）とを備える。
【００１３】
この発明の請求項６にかかる給排気装置は、請求項３乃至請求項５のいずれか一つに記載の給排気装置であって、前記熱電素子（１）に電圧を供給する直流電源（９）と、前記直流電源と前記熱電素子との間に介在し、前記電圧を反転する転流回路（８）とを更に備える。
【発明の効果】
【００１４】
この発明の請求項１及び請求項２にかかる湿度調整体によれば、熱電素子の第１面が吸熱面として機能する場合、第１のヒートシンクに担持された吸湿剤での吸着熱が熱電素子に吸収される。よって気体の温度を暖めることなく、除湿後の気体を排出することができる。この際、第２面が発熱面として機能するので、第２のヒートシンクに担持された吸湿剤を再生することができる。あるいは第２のヒートシンクに担持された吸湿剤から放出される水分で加湿を行うこともできる。
【００１５】
しかも、軸の周りで湿度調整体が回動自在であるので、これを回動させることにより、所定の方向から与えられる気体を、湿度調整体における第２方向と第３方向とに切り替えて導くことができる。よってこの気体を導く方向を切り替える際に、熱電素子の第１面と第２面のいずれの一方を吸熱面とし、他方を発熱面とするかの切り替えも行うことにより、再生された吸湿剤による吸湿を効率よく行うことができる。あるいは再生時の吸湿剤による加湿を効率よく行うことができる。
【００１６】
特に請求項１にかかる湿度調整体によれば、軸の周りで９０度回動する際に、第１面と第２面とにおいて、吸熱面としての機能と発熱面としての機能を切り替える、という態様で使用することにより、相互に直交して湿度調整体を流れる吸気及び排気について、これらの一方を除湿もしくは加湿することができる。
【００１７】
特に請求項２にかかる湿度調整体によれば、軸の周りで１８０度回動する際に、第１面と第２面とにおいて、吸熱面としての機能と発熱面としての機能を切り替える、という態様で使用することにより、相互に平行に湿度調整体を流れる吸気及び排気について、これらの一方を除湿もしくは加湿することができる。
【００１８】
この発明の請求項３及び請求項４にかかる給排気装置によれば、第１吸気口と第１排気口との間を流れる気体に対して除湿あるいは加湿を行いつつ、第２吸気口と第２排気口との間を流れる気体に対してそれぞれ湿度の排出あるいは湿度の吸収を行うことができる。湿度調整体を軸の周りで回動させることにより、吸湿剤の再生と吸湿とを簡易な構成で並行して容易に行うことができる。しかも、回動のタイミングを制御することにより、気体の温度と湿度とを調整することができる。
【００１９】
この発明の請求項５にかかる給排気装置によれば、熱電素子の第１面が吸熱面として機能する場合、第１の柱に担持された吸湿剤での吸着熱が熱電素子に吸収される。よって気体の温度を暖めることなく、除湿後の気体を排出することができる。この際、第２面が発熱面として機能するので、第２の柱に担持された吸湿剤を再生することができる。あるいは第２の柱に担持された吸湿剤から放出される水分で加湿を行うこともできる。
【００２０】
しかも、軸の周りで遮蔽体が回動自在であるので、これを回動させることにより、所定の方向から与えられる気体を、湿度調整体における第２方向と第３方向とに切り替えて導くことができる。よってこの気体を導く方向を切り替える際に、熱電素子の第１面と第２面のいずれの一方を吸熱面とし、他方を発熱面とするかの切り替えも行うことにより、再生された吸湿剤による吸湿を効率良く行うことができる。あるいは再生時の吸湿剤による加湿を効率良く行うことができる。
【００２１】
そして第１吸気口と第１排気口との間を流れる気体に対して除湿あるいは加湿を行いつつ、第２吸気口と第２排気口との間を流れる気体に対してそれぞれ湿度の排出あるいは湿度の吸収を行うことができる。湿度調整体を囲む遮蔽体を軸の周りで回動させることにより、吸湿剤の再生と吸湿とを簡易な構成で並行して容易に行うことができる。しかも、回動のタイミングを制御することにより、気体の温度と湿度とを調節することができる。
【００２２】
この発明の請求項６にかかる給排気装置によれば、熱電素子に供給する電圧を反転させることにより、熱電素子の第１面と第２面とにおいて、吸熱面としての機能と発熱面としての機能を切り替えることができる。
【発明を実施するための最良の形態】
【００２３】
第１の実施の形態．
図１は、後述する給排気装置７Ａ（図２及び図３）が備える湿度調整体１０１について、（ａ）構成と、（ｂ）動作とをそれぞれ示す。湿度調整体１０１は、ヒートシンク２，３及びペルチェモジュール１を有し、方向Ｘに沿った軸（回転軸）の周りで回動自在である。
【００２４】
ヒートシンク２は、吸湿剤が担持された平板状のフィン２１の複数を有する。フィン２１の各々は、方向Ｘ、方向Ｘと直交する方向Ｙの両方に平行である。そしてヒートシンク２に流れた気体は、方向Ｙへと導かれる。一方、ヒートシンク２は、方向Ｘ，Ｙのいずれにも直交する方向Ｚへの気体の移動を阻む。
【００２５】
但し、方向Ｙ，Ｚは方向Ｘを固定した場合に湿度調整体１０１において定義される方向である。湿度調整体１０１は方向Ｘに沿った軸の周りで回動自在であるので、方向Ｙ，Ｚは湿度調整体１０１の運動座標系で方向Ｘに直交する。
【００２６】
ヒートシンク３は、吸湿剤が担持された平板状のフィン３１の複数を有する。フィン３１の各々は、方向Ｘ、方向Ｚの両方に平行である。そしてヒートシンク３に流れた気体は、方向Ｚへと導かれる。一方、ヒートシンク３は、方向Ｙへの気体の移動を阻む。
【００２７】
ペルチェモジュール１は方向Ｘにおいてヒートシンク２，３の間に挟まれている。ペルチェモジュール１の面１ａ，１ｂは、方向Ｘと直交している。面１ａにはヒートシンク２が、他方の面１ｂにはヒートシンク３が、それぞれ接触して設けられる。
【００２８】
ペルチェモジュール１の面１ａ，１ｂはいずれか一方を吸熱面、他方を発熱面として機能する。また、ペルチェモジュール１に流れる直流電流の方向を切り替えることで、吸熱面と発熱面とを相互に切り替えることができる。
【００２９】
上述した内容において、Ｘ方向を第１方向、Ｙ方向を第２方向、Ｚ方向を第３方向、ヒートシンク２，３の各々を第１、第２ヒートシンク、面１ａ，１ｂの各々を第１、第２面、ペルチェモジュール１を熱電素子と、それぞれ把握できる。このように把握すると、湿度調整体１０１は次のように把握することができる。つまり、湿度調整体１０１は、第１ヒートシンク２、第２ヒートシンク３及び熱電素子１を有する。第１ヒートシンク２は、湿度調整体１０１において第１方向Ｘに対して直交する第２方向Ｙへと気体を導き、湿度調整体１０１において第１方向Ｘ及び第２方向Ｙのいずれとも直交する第３方向Ｚへの気体の移動を阻む。第２ヒートシンク３は、第３方向Ｚへと気体を導き、湿度調整体１０１における第２方向Ｙへの気体の移動を阻む。第１ヒートシンク２及び第２ヒートシンク３はいずれも吸湿剤が担持される。
【００３０】
熱電素子１は、第１方向Ｘにおいて第１ヒートシンク２と第２ヒートシンク３との間に挟まれる。そして第１ヒートシンク２に接触する第１面１ａと、第２ヒートシンク３に接触する第２面１ｂとを有する。第１面１ａと第２面１ｂのいずれか一方を吸熱面として、他方を発熱面として、相互に切り替え可能に熱電素子１は機能する。
【００３１】
上述した湿度調整体１０１によれば、熱電素子１の第１面１ａが吸熱面として機能する場合、第１のヒートシンク２（より具体的にはフィン２１）に担持された吸湿剤での吸着熱が熱電素子１に吸収される。よって気体の温度を暖めることなく、除湿後の気体を排出することができる。この際、第２面１ｂが発熱面として機能するので、第２のヒートシンク３（より具体的にはフィン３１）に担持された吸湿剤を再生することができる。あるいは第２のヒートシンク３に担持された吸湿剤から放出される水分で加湿を行うこともできる。
【００３２】
しかも、第１方向Ｘの周りで湿度調整体１０１が回動自在であるので、これを回動させることにより、所定の方向から与えられる気体を、湿度調整体１０１における第２方向Ｙと第３方向Ｚとに切り替えて導くことができる。よってこの気体を導く方向を切り替える際に、熱電素子１の第１面１ａと第２面１ｂのいずれの一方を吸熱面とし、他方を発熱面とするかの切り替えも行うことにより、再生された吸湿剤による吸湿を効率良く行うことができる。あるいは再生時の吸湿剤による加湿を効率良く行うことができる。この効果については、後述する給排気装置７Ａにおいて明確となる。
【００３３】
図２及び図３は、本実施の形態にかかる給排気装置７Ａを概念的に示す。給排気装置７Ａは、湿度調整体１０１、吸気口７０１ａ，７０２ａ、排気口７０１ｂ，７０２ｂ、隔離壁７１、ファン８１，８２、転流回路８及び直流電源９を備える。
【００３４】
吸気口７０１ａ及び排気口７０２ｂは室外に、吸気口７０２ａ及び排気口７０１ｂは室内にそれぞれ設けられている。気体の吸入・排出は、例えばファン８１，８２によって行われる。図２（図３でも同様）では、ファン８１は排気口７０２ｂに、ファン８２は排気口７０１ｂにそれぞれ設けられている。
【００３５】
図２では、方向Ｘは紙面に対して垂直かつ手前に向かっている。フィン２１は、吸気口７０２ａから排気口７０２ｂへ向かう方向に沿っている。フィン３１は、吸気口７０１ａから排気口７０１ｂへ向かう方向に沿っている。
【００３６】
隔離壁７１は、湿度調整体１０１と共に、吸気口７０１ａ及び排気口７０１ｂと、吸気口７０２ａ及び排気口７０２ｂとを相互に隔離する。より詳細には、吸気口７０１ａと排気口７０１ｂとは隔離壁７１及び第１のヒートシンク２によって分断されつつ、第２のヒートシンク３を介して相互に連通する。吸気口７０２ａと排気口７０２ｂとは隔離壁７１及び第２のヒートシンク３によって分断されつつ、第１のヒートシンク２を介して相互に連通する。
【００３７】
吸気口７０２ａから吸入された室内側の気体は、ヒートシンク２側を通って排気口７０２ｂから室外へと排出される。この室内から室外への気体の流れは矢印ＥＡによって示される。また、吸気口７０１ａから吸入された室外側の気体は、ヒートシンク３側を通って排気口７０１ｂから室内へと排出される。この室外から室内への気体の流れは矢印ＳＡによって示される。
【００３８】
ペルチェモジュール１には、転流回路８を介して直流電源９が接続される。図２では、ヒートシンク２側の面１ａは発熱面、ヒートシンク３側の面１ｂは吸熱面となるように、転流回路８では、一対のスイッチＳが例えば端子８Ａ側に接触される。
【００３９】
よって、吸気口７０２ａから吸入された気体は、ヒートシンク２側（発熱面側）の吸湿剤を乾燥する。また、吸気口７０１ａから吸入された気体は、ヒートシンク３側（吸熱面側）の吸湿剤によって除湿される。この吸湿の際に発生する熱は面１ｂによって吸熱されるので、除湿に起因する室内温度の上昇を抑制できる。
【００４０】
湿度調整体１０１を図２で示される状態で維持すると、発熱面側の吸湿剤（フィン２１に担持されたもの）では、吸湿されていた液体がほとんど蒸発してしまう。また、吸熱側の吸湿剤（フィン３１に担持されたもの）では、吸湿された液体が飽和状態となる。よって、湿度調整体１０１の除湿・再生（加湿）の機能が低下する。
【００４１】
そこで、湿度調整体１０１を方向Ｘの周りに９０度回動させる（図３）。図３においては、方向Ｙ，Ｚが９０度回転されることによっても湿度調整体１０１の回動を示している。図３では、フィン２１は、吸気口７０１ａから排気口７０１ｂへと向かう方向に沿っている。フィン３１は、吸気口７０２ａから排気口７０２ｂへと向かう方向に沿っている。
【００４２】
吸気口７０２ａと排気口７０２ｂとは隔離壁７１及び第１のヒートシンク２によって分断されつつ、第２のヒートシンク３を介して相互に連通する。吸気口７０１ａと排気口７０１ｂとは隔離壁７１及び第２のヒートシンク３によって分断されつつ、第１のヒートシンク２を介して相互に連通する。
【００４３】
よって、吸気口７０１ａから吸入された室外側の気体は、ヒートシンク２側を通って排気口７０１ｂから室内へと排出される（矢印ＳＡ）。また、吸気口７０２ａから吸入された室内側の気体は、ヒートシンク３側を通って排気口７０２ｂから室外へと排出される（矢印ＥＡ）。
【００４４】
このとき、転流回路８では、一対のスイッチＳが端子８Ｂに接触するよう切り替えられる。つまり、ペルチェモジュール１において、ヒートシンク２側の面１ａは吸熱面、ヒートシンク３側の面１ｂは発熱面となる。
【００４５】
よって、吸気口７０２ａから吸入された気体は、ヒートシンク３側（発熱面側）の吸湿剤を乾燥する。また、吸気口７０１ａから吸入された気体は、ヒートシンク２側（吸熱面側）の吸湿剤によって除湿される。この吸湿の際に発生する吸着熱は面１ａによって吸熱されるので、除湿に起因する室内温度の上昇を抑制できる。換言すれば室内冷房時の除湿に適している。
【００４６】
繰り返して、湿度調整体１０１を方向Ｘの周りに９０度回動させ、その度に転流回路８でのスイッチＳの切り替えを行うことにより、図２及び図３で示された状態が相互に切り替わる。かかる動作により、給排気装置７Ａに室内を除湿させ、かつその機能を長く維持することができる。
【００４７】
上記の動作において、面１ａ，１ｂの吸熱／発熱の機能を逆にすることにより、給排気装置７Ａに室内を加湿させ、かつその機能を長く維持することができる。この場合、吸気口７０１ａから吸入された気体は、発熱面側の吸湿剤によって加湿される。この加湿側の吸湿剤にペルチェモジュール１から与えられる熱は、加湿時の脱着熱に起因する室内温度の低下を抑制できる。換言すれば室内暖房時の加湿に適している。また、吸気口７０２ａから吸入された気体は、吸熱面側の吸湿剤に湿度を与える。
【００４８】
上述の内容において、吸気口７０１ａ，７０２ａの各々を第１、第２吸気口、排気口７０１ｂ，７０２ｂの各々を第１、第２排気口と把握できる。この場合、給排気装置７Ａは次のように把握することができる。つまり、給排気装置７Ａは、湿度調整体１０１、第１吸気口７０１ａ、第２吸気口７０２ａ、第１排気口７０１ｂ、第２排気口７０２ｂ及び隔離壁７１を備える。第１吸気口７０１ａ及び第１排気口７０１ｂは、第１のヒートシンク２及び第２のヒートシンク３の一方を介して相互に連通する。第２吸気口７０２ａ及び第２排気口７０２ｂは、第１のヒートシンク２及び第２のヒートシンク３の他方を介して相互に連通する。隔離壁７１は、湿度調整体１０１と共に、第１吸気口７０１ａ及び第１排気口７０１ｂと、第２吸気口７０２ａ及び第２排気口７０２ｂとを相互に隔離する。
【００４９】
上述した給排気装置７Ａによれば、第１吸気口７０１ａと第１排気口７０１ｂとの間を流れる気体に対して除湿あるいは加湿を行いつつ、第２吸気口７０２ａと第２排気口７０２ｂとの間を流れる気体に対してそれぞれ湿度の排出あるいは湿度の吸収を行うことができる。湿度調整体１０１を方向Ｘの周りで回動させることにより、吸湿剤の再生と吸湿とを簡易な構成で並行して容易に行うことができる。
【００５０】
また、湿度調整体１０１の回動のタイミングを制御することにより、気体の温度と湿度とを調整することができる。この内容については、以下で説明するシミュレーションの結果によって確認できる。
【００５１】
図４及び図５は、シミュレーションによって求められた、ペルチェモジュール１での消費電力と、吸熱面での吸熱量との関係を示す。シミュレーションの条件は、湿度調整体１０１のサイズがＷ９０ｍｍ×Ｄ９０ｍｍ×Ｈ８４ｍｍ、気体の温度及び湿度が室内側でそれぞれ２７℃，６０％ＲＨ、室外側でそれぞれ３５℃，５０％ＲＨ、気体の流れる速度が０．３ｍ3／ｍｉｎであり、定常状態となった場合を示している。
【００５２】
図４は、湿度調整体１０１を１２０秒ごとに９０度回動させた場合の結果であり、顕熱が曲線３０１で、潜熱が曲線３０２でそれぞれ表されている。図５は、湿度調整体１０１の回動を停止させた場合の結果であり、顕熱が曲線３０３で、潜熱が曲線３０４でそれぞれ表されている。
【００５３】
例えば、ペルチェモジュール１での消費電力が４０Ｗの場合、図４では潜熱量が３２Ｗ、顕熱量が２Ｗであり、図５では潜熱量が０Ｗ、顕熱量が２５Ｗである。湿度調整体１０１を回動させた場合には（図４）、消費電力のほとんどが潜熱の吸収に使用され、顕熱の吸収にはほとんど使用されない。すなわち、気体の温度が上昇または低下することなく、気体は除湿される。
【００５４】
他方、湿度調整体１０１の回動を停止させた場合には（図５）、消費電力のほとんどが顕熱の吸収に使用され、潜熱の吸収にはほとんど使用されない。すなわち、気体はほとんど除湿されることなく、気体の温度が下げられる。
【００５５】
よって、湿度調整体１０１を回動する周期を調節することにより、気体の湿度と温度とを調節することができる。
【００５６】
図２では、吸気口７０１ａ及び排気口７０２ｂが室外に、吸気口７０２ａ及び排気口７０１ｂが室内にそれぞれ設けられていたが、その他の組み合わせで設けてもよい。図６〜図９は、図２で示される給排気装置７Ａと同様の動作を行う給排気装置を示し、吸気口７０１ａ，７０２ａ及び排気口７０１ｂ，７０２ｂの配置が給排気装置７Ａと異なる。
【００５７】
図６及び図７で示される給排気装置では、吸気口７０１ａ，７０２ａ及び排気口７０１ｂが室内に、排気口７０２ｂが室外に設置される。よって、室内の空気（気体）が循環される。図６で示される給排気装置では吸気口７０１ａ，７０２ａが別々の方向に向けて開口されている。図７で示される給排気装置では吸気口７０１ａ，７０２ａが同じ方向に向けて開口され、両者は吸気口７０７を構成している。
【００５８】
図８及び図９で示される給排気装置では、吸気口７０１ａ及び排気口７０１ｂが室内に、吸気口７０２ａ及び排気口７０２ｂが室外に設置される。よって、室外の空気（気体）を室内に導入することなく、室内の空気（気体）を室外の空気と独立して循環できる。
【００５９】
図９で示される給排気装置では、室内側に換気用ダンパ１３０を有する吸気口７０２ｃと、室外側に換気用ダンパ１３１を有する吸気口７０１ｃとが更に設置される。吸気口７０２ｃから吸入された空気（気体）は、吸気口７０２ａから吸入された空気（気体）とともに、排気口７０２ｂへと排出される（矢印ＥＡ）。吸気口７０１ｃから吸入された空気（気体）は、吸気口７０１ａから吸入された空気（気体）とともに、排気口７０１ｂへと排出される（矢印ＳＡ）。この給排気装置は、室内の空気（気体）及び室外の空気（気体）を循環することと並行して、換気をも行う。
【００６０】
なお、吸気口７０１ｃは吸気口７０１ａと共に、吸気口７０１ｃは吸気口７０２ａと共に、それぞれ第１吸気口もしくは第２吸気口として把握することができる。
【００６１】
第２の実施の形態．
図１０は、後述する給排気装置７Ｂ（図１１及び図１２）が備える湿度調整体１０２について、（ａ）構成と、（ｂ）動作とをそれぞれ示す。湿度調整体１０２は、ヒートシンク４，５及びペルチェモジュール１を有し、方向Ｘに沿った軸（回転軸）の周りで回動自在である。
【００６２】
ヒートシンク４は、吸湿剤が担持された平板状のフィン４１の複数を有する。フィン４１の各々は、方向Ｘに直交し、湿度調整体１０２において方向Ｘに直交する方向Ｙ２に平行である。そしてヒートシンク４に流れた気体は、方向Ｙ２へと導かれる。
【００６３】
ヒートシンク５は、吸湿剤が担持された平板状のフィン５１の複数を有する。フィン５１の各々は、方向Ｘに直交し、湿度調整体１０２において方向Ｙと反対の方向Ｙ１とに平行である。そしてヒートシンク５に流れた気体は、方向Ｙ１へと導かれる。
【００６４】
但し、方向Ｙ１，Ｙ２は方向Ｘを固定した場合に湿度調整体１０２において定義される方向である。湿度調整体１０２は方向Ｘに沿った軸の周りで回動自在であるので、方向Ｙ１，Ｙ２は湿度調整体１０２の運動座標系で方向Ｘに直交する。
【００６５】
ペルチェモジュール１の一方の面１ａにはヒートシンク４が、他方の面１ｂにはヒートシンク５が、それぞれ接触して設けられる。面１ａ，１ｂは方向Ｘ，Ｙ１，Ｙ２と平行している。ペルチェモジュール１の面１ａ，１ｂはいずれか一方を吸熱面、他方を発熱面として機能する。また、ペルチェモジュール１に流れる直流電流の方向を切り替えることで、吸熱面と発熱面とを相互に切り替えることができる。
【００６６】
上述した内容において、Ｘ方向を第１方向、方向Ｙ２を第２方向、方向Ｙ１を第３方向、ヒートシンク４，５の各々を第１、第２ヒートシンク、面１ａ，１ｂの各々を第１、第２面、ペルチェモジュール１を熱電素子と、それぞれ把握できる。この場合、湿度調整体１０２は次のように把握することができる。つまり、湿度調整体１０２は、第１ヒートシンク４、第２ヒートシンク５及び熱電素子１を有する。第１ヒートシンク４は、湿度調整体１０２において第１方向Ｘに対して直交する第２方向Ｙ２への気体の移動を可能とする。第２ヒートシンク５は、湿度調整体１０２において第２方向Ｙ２と反対の第３方向Ｙ１への気体の移動を可能とする。第１ヒートシンク４及び第２ヒートシンク５には吸湿剤が担持される。
【００６７】
熱電素子１は、第１ヒートシンク４に接触する第１面１ａと、第２ヒートシンク５に接触する第２面１ｂとを有する。第１面１ａと第２面１ｂのいずれか一方を吸熱面として、他方を発熱面として、相互に切り替え可能に熱電素子１は機能する。第１面１ａも第２面１ｂも第１方向Ｘ及び第２方向Ｙ２に平行である。
【００６８】
上述した湿度調整体１０２によれば、第１の実施の形態で説明した湿度調整体１０１と同様の効果を得ることができる。
【００６９】
図１１及び図１２は、本実施の形態にかかる給排気装置７Ｂを概念的に示す。給排気装置７Ｂは、湿度調整体１０２、吸気口７０３ａ，７０４ａ、排気口７０３ｂ，７０４ｂ、隔離壁７２、ファン８１，８２、転流回路８及び直流電源９を備える。
【００７０】
吸気口７０３ａ及び排気口７０４ｂは室外に、吸気口７０４ａ及び排気口７０３ｂは室内にそれぞれ設けられている。気体の吸入・排出は、例えばファン８１，８２によって行われる。図１１（図１２でも同様）では、ファン８１は排気口７０４ｂに、ファン８２は排気口７０３ｂにそれぞれ設けられている。
【００７１】
図１１では、方向Ｘは紙面に対して垂直かつ手前に向かっている。フィン４１は、吸気口７０３ａから排気口７０３ｂへと向かう方向に沿っている。フィン５１は、吸気口７０４ａから排気口７０４ｂへと向かう方向に沿っている。
【００７２】
隔離壁７２は、湿度調整体１０２と共に、吸気口７０３ａ及び排気口７０３ｂと、吸気口７０４ａ及び排気口７０４ｂとを相互に隔離する。より詳細には、吸気口７０３ａと排気口７０３ｂとは隔離壁７２及びペルチェモジュール１によって分断されつつ、第１のヒートシンク４を介して相互に連通する。吸気口７０４ａと排気口７０４ｂとは隔離壁７２及びヘ゜ルチェモジュール１によって分断されつつ、第２のヒートシンク５を介して相互に連通する。
【００７３】
吸気口７０３ａから吸入された室外側の気体は、ヒートシンク４側を通って排気口７０３ｂから室内へと排出される。この室外から室内への気体の流れは矢印ＳＡによって示される。また、吸気口７０４ａから吸入された室内側の気体は、ヒートシンク５側を通って排気口７０４ｂから室外へと排出される。この室内から室外への気体の流れは矢印ＥＡによって示される。
【００７４】
ペルチェモジュール１には、転流回路８を介して直流電源９が接続される。図１１では、ヒートシンク４側の面１ａは吸熱面、ヒートシンク５側の面１ｂは発熱面となるように、転流回路８では、一対のスイッチＳが例えば端子８Ｂ側に接触される。
【００７５】
よって、吸気口７０４ａから吸入された気体は、ヒートシンク５側（発熱面側）の吸湿剤を乾燥する。また吸気口７０３ａから吸入された気体は、ヒートシンク４側（吸熱面側）の吸湿剤によって除湿される。この吸湿の際に発生する熱は面１ａによって吸熱されるので、除湿に起因する室内温度の上昇を抑制できる。
【００７６】
湿度調整体１０２を図１１で示される状態で維持すると、第１の実施の形態と同様の理由で、湿度調整体１０２の除湿・再生（加湿）の機能が低下する。
【００７７】
そこで、湿度調整体１０２を方向Ｘの周りに１８０度回動させる（図１２）。図１２においては、方向Ｙ１，Ｙ２が１８０度回転されることによっても湿度調整体１０２の回動を示している。図１２では、フィン４１は、吸気口７０４ａから排気口７０４ｂへと向かう方向に沿っている。フィン５１は、吸気口７０３ａから排気口７０３ｂへと向かう方向に沿っている。
【００７８】
よって、吸気口７０４ａから吸入された室内側の気体は、ヒートシンク４側を通って排気口７０４ｂから室外側へと排出される。また、吸気口７０３ａから吸入された室外側の気体は、ヒートシンク５側を通って排気口７０３ｂから室内側へと排出される。
【００７９】
このとき、転流回路８では、一対のスイッチＳが端子８Ａに接触するように切り替えられる。つまり、ペルチェモジュール１において、ヒートシンク４側の面１ａは発熱面、ヒートシンク５側の面１ｂは吸熱面となる。
【００８０】
よって、吸気口７０４ａから吸入された気体は、ヒートシンク４側（発熱面側）の吸湿剤を乾燥する。また、吸気口７０３ａから吸入された気体は、ヒートシンク５側（吸熱面側）の吸湿剤によって除湿される。この吸湿の際に発生する吸着熱は面１ｂによって吸熱されるので、除湿に起因する室内温度の上昇を抑制できる。換言すれば室内冷房時の除湿に適している。
【００８１】
繰り返して、湿度調整体１０２を方向Ｘの周りに１８０度回動させ、その度に転流回路８でのスイッチＳの切り替えを行うことにより、図１１及び図１２で示された状態が相互に切り替わる。かかる動作により、給排気装置７Ｂに室内を除湿させ、かつその機能を長く維持することができる。
【００８２】
上記の動作において、面１ａ，１ｂの吸熱／発熱の機能を逆にすることにより、給排気装置７Ｂに室内を加湿させ、かつその機能を長く維持することができる。この場合、吸気口７０３ａから吸入された気体は、発熱面側の吸湿剤によって加湿される。この加湿側の吸湿剤にペルチェモジュール１から与えられる熱は、加湿時の脱着熱に起因する室内温度の低下を抑制できる。換言すれば室内暖房時の加湿に適している。また、吸気口７０４ａから吸入された気体は、吸熱面側の吸湿剤に湿度を与える。
【００８３】
上述の内容において、吸気口７０３ａ，７０４ａの各々を第１、第２吸気口、排気口７０３ｂ，７０４ｂの各々を第１、第２排気口と把握できる。この場合、給排気装置７Ｂは次のように把握することができる。つまり、給排気装置７Ｂは、湿度調整体１０２、第１吸気口７０３ａ、第２吸気口７０４ａ、第１排気口７０３ｂ、第２排気口７０４ｂ及び隔離壁７２を備える。第１吸気口７０３ａ及び第１排気口７０３ｂは、第１のヒートシンク４及び第２のヒートシンク５の一方に沿って相互に連通する。第２吸気口７０４ａ及び第２排気口７０４ｂは、第１のヒートシンク４及び第２のヒートシンク５の他方に沿って相互に連通する。隔離壁７２は、湿度調整体１０２と共に、第１吸気口７０３ａ及び第１排気口７０３ｂと、第２吸気口７０４ａ及び第２排気口７０４ｂとを相互に隔離する。
【００８４】
上述した給排気装置７Ｂによれば、第１吸気口７０３ａと第１排気口７０３ｂとの間を流れる気体に対して除湿あるいは加湿を行いつつ、第２吸気口７０４ａと第２排気口７０４ｂとの間を流れる気体に対してそれぞれ湿度の排出あるいは湿度の吸収を行うことができる。湿度調整体１０２を方向Ｘの周りで回動させることにより、吸湿剤の再生と吸湿とを簡易な構成で並行して容易に行うことができる。
【００８５】
また、第１の実施の形態と同様の理由により、湿度調整体１０２の回動のタイミングを制御することで、気体の温度と湿度とを調整することができる。
【００８６】
図１１では、吸気口７０３ａ及び排気口７０４ｂが室外に、吸気口７０４ａ及び排気口７０３ｂが室内にそれぞれ設けられていたが、その他の組み合わせで設けてもよい。図１３〜１６は、図１１で示される給排気装置７Ｂと同様の動作を行う給排気装置を示し、吸気口７０３ａ，７０４ａ及び排気口７０３ｂ，７０４ｂの配置が給排気装置７Ｂと異なる。
【００８７】
図１３及び図１４で示される給排気装置では、吸気口７０３ａ，７０４ａ及び排気口７０３ｂが室内に、排気口７０４ｂが室外に設定される。よって、室内の空気（気体）が循環される。図１３で示される給排気装置では吸気口７０３ａ，７０４ａが別々の方向に向けて開口されている。図１４で示される給排気装置では吸気口７０３ａ，７０４ａが同じ方向に向けて開口され、両者は吸気口７０８を構成している。
【００８８】
図１５及び図１６で示される給排気装置では、吸気口７０３ａ及び排気口７０３ｂが室内に、吸気口７０４ａ及び排気口７０４ｂが室外に設置される。よって、室外の空気（気体）を室内に導入することなく、室内の空気（気体）を室外の空気と独立して循環できる。
【００８９】
図１６で示される給排気装置では、吸気口７０３ａと排気口７０４ｂとを隔離する隔離壁７２に、換気用ダンパ１３２を有する換気口７０７が設けられる。換気口７０７は、吸気口７０３ａから排気口７０４ｂへの方向にだけ空気（気体）が流れる。更に、吸気口７０４ａと排気口７０３ｂとを隔離する隔離壁７２に、換気用ダンパ１３３を有する換気口７０８が設けられる。換気口７０８は、吸気口７０４ａから排気口７０３ｂへの方向にだけ空気（気体）が流れる。この給排気装置は、室内の空気（気体）及び室外の空気（気体）を循環することと並行して、換気をも行う。
【００９０】
つまり、換気用ダンパ１３３は隔離壁７２や湿度調整体１０２と共に、第１吸気口７０３ａ及び第１排気口７０３ｂから第２吸気口７０４ａへの気体の移動を阻む。また換気用ダンパ１３２は隔離壁７２や湿度調整体１０２と共に、第２吸気口７０４ａ及び第２排気口７０４ｂから第１吸気口７０３ａへの気体の移動を阻む。
【００９１】
第３の実施の形態．
図１７及び図１８は、本実施の形態にかかる給排気装置７Ｃを概念的に示し、各々の図において回転型ダンパ６の状態が異なる。給排気装置７Ｃは、回転型ダンパ６、湿度調整体１０３、吸気口７０５ａ，７０６ａ、排気口７０５ｂ，７０６ｂ、隔離壁７３、ファン８１，８２、転流回路８及び直流電源９を備える。
【００９２】
図１９は、（ａ）回転型ダンパ６と、（ｂ）湿度調整体１０３とをそれぞれ概念的に示す。回転型ダンパ６は、遮蔽板６１ａ，６１ｂ，６２ａ，６２ｂ及びリング状の遮蔽板６０を有し、方向Ｘに沿った軸（回転軸）の周りで回動自在である。遮蔽板６１ａ，６１ｂは、対をなして、方向Ｘと直交する方向Ｙへと気体を導く。遮蔽板６２ａ，６２ｂは、対をなして（以下「遮蔽板対」という）、方向Ｘ及び方向Ｙと直交する方向Ｚへと気体を導く。遮蔽板対６１ａ，６１ｂと遮蔽板対６２ａ，６２ｂとは、リング状の遮蔽板６０を介して接続され、回転軸の方向（方向Ｘ）に並ぶ。
【００９３】
但し、方向Ｙ，Ｚは方向Ｘを固定した場合に湿度調整体１０３において定義される方向である。湿度調整体１０３は方向Ｘに沿った軸の周りで回動自在であるので、方向Ｙ，Ｚは湿度調整体１０３の運動座標系で方向Ｘに直交する。
【００９４】
上述した内容において、回転型ダンパ６を遮蔽体、方向Ｘを第１方向、方向Ｙを第２方向、方向Ｚを第３方向、遮蔽板対６１ａ，６１ｂは第１の遮蔽板対、遮蔽板対６２ａ，６２ｂは第２の遮蔽板対と、それぞれ把握できる。このように把握すると、遮蔽体６は次のように把握することができる。つまり、遮蔽体６は、第１方向Ｘに沿った軸の周りで回動自在であって、第１の遮蔽板対６１ａ，６１ｂ及び第２の遮蔽板対６２ａ，６２ｂを有する。第１の遮蔽板対６１ａ，６１ｂは、遮蔽体６において第１方向Ｘに対して直交する第２方向Ｙへと気体を導く。第２の遮蔽板対６２ａ，６２ｂは、遮蔽体６において第１方向Ｘ及び第２方向Ｙのいずれとも直交する第３方向へと気体を導く。そして、第１の遮蔽板対６１ａ，６１ｂと第２の遮蔽板対６２ａ，６２ｂとは第１方向Ｘに並ぶ。
【００９５】
湿度調整体１０３は、ヒートシンク２０，３０及びペルチェモジュール１を有する。ヒートシンク２０は、吸湿剤が担持された柱状のフィン２２の複数を有する。フィン２２は、方向Ｘへと延在する。ヒートシンク３０は、吸湿剤が担持された柱状のフィン３２の複数を有する。フィン３２は、方向Ｘへと延在する。
【００９６】
ペルチェモジュール１は方向Ｘにおいてヒートシンク２０，３０の間に挟まれている。ペルチェモジュール１の面１ａ，１ｂは、方向Ｘと直交している。面１ａにはヒートシンク２０が、他方の面１ｂにはヒートシンク３０が、それぞれ接触して設けられる。
【００９７】
ペルチェモジュール１の面１ａ，１ｂはいずれか一方を吸熱面、他方を発熱面として機能する。また、ペルチェモジュール１に流れる直流電流の方向を切り替えることで、吸熱面と発熱面とを相互に切り替えることができる。
【００９８】
上述の内容において、ヒートシンク２０，３０の各々を第１、第２ヒートシンク、フィン２２，３２の各々を第１、第２の柱、面１ａ，１ｂの各々を第１、第２面、ペルチェモジュール１を熱電素子と、それぞれ把握することができる。このように把握すれば、湿度調整体１０３は次のように把握することができる。つまり、湿度調整体１０３は、第１ヒートシンク２０、第２ヒートシンク３０及び熱電素子１を有し、遮蔽体６で囲まれる。第１ヒートシンク２０は、第１方向Ｘに延在して吸湿剤が担持された第１の柱２２の複数を有する。第２ヒートシンク３０は、第１方向Ｘに延在して吸湿剤が担持された第２の柱３２の複数を有する。
【００９９】
熱電素子１は、第１方向Ｘにおいて第１ヒートシンク２０と第２ヒートシンク３０との間に挟まれる。そして第１ヒートシンク２０に接触する第１面１ａと、第２ヒートシンク３０に接触する第２面１ｂとを有する。第１面１ａと第２面１ｂのいずれか一方を吸熱面として、他方を発熱面として、相互に切り替え可能に熱電素子１は機能する。
【０１００】
図１７及び図１８において、方向Ｘは紙面に対して垂直かつ手前に向かっている。回転型ダンパ６は、湿度調整体１０３の周りで回動自在に設けられる。遮蔽板対６１ａ，６１ｂによって方向Ｙに導かれる気体は、ヒートシンク２０側を通る。遮蔽板対６２ａ，６２ｂによって方向Ｚに導かれる気体は、ヒートシンク３０側を通る。
【０１０１】
図１７において隔離壁７３や遮蔽板対６１ａ，６１ｂ及び遮蔽板対６２ａ，６２ｂは、湿度調整体１０３と共に、吸気口７０５ａ及び排気口７０５ｂと、吸気口７０６ａ及び排気口７０６ｂとを相互に隔離する。より詳細には、吸気口７０５ａと排気口７０５ｂとは遮蔽板対６１ａ，６１ｂ及び隔離壁７３によって分断されつつ、遮蔽板対６２ａ，６２ｂの間の開口を介して連通している。同様に、吸気口７０６ａと排気口７０６ｂとは遮蔽板対６２ａ，６２ｂ及び隔離壁７３によって分断されつつ、遮蔽板対６１ａ，６１ｂの間の開口を介して連通している。
【０１０２】
吸気口７０５ａ及び排気口７０６ｂが室外に、吸気口７０６ａ及び排気口７０５ｂが室内にそれぞれ設けられている。気体の吸入・排出は、例えばファン８１，８２によって行われる。図１７（図１８でも同様）では、ファン８１は排気口７０６ｂに、ファン８２は排気口７０５ｂにそれぞれ設けられる。
【０１０３】
よって、吸気口７０６ａから吸入された室内側の気体は、ヒートシンク２０側を通って排気口７０６ｂから室外側へと排出される。この室内側から室外側への気体の流れは矢印ＥＡによって示される。また、吸気口７０５ａから吸入された室外側の気体は、ヒートシンク３０側を通って排気口７０５ｂから室内側へと排出される。この室外側から室内側への気体の流れは矢印ＳＡによって示される。
【０１０４】
ペルチェモジュール１には、転流回路８を介して直流電源９が接続される。図１７では、ヒートシンク２０側の面１ａは発熱面、ヒートシンク３０側の面１ｂは吸熱面となるように、転流回路８では、一対のスイッチＳが例えば端子８Ａ側に接触される。
【０１０５】
よって、吸気口７０６ａから吸入された気体は、ヒートシンク２０側（発熱面側）の吸湿剤を乾燥する。また、吸気口７０５ａから吸入された気体は、ヒートシンク３０側（吸熱面側）の吸湿剤によって除湿される。この吸湿の際に発生する熱は面１ｂによって吸熱されるので、除湿に起因する室内温度の上昇を抑制できる。
【０１０６】
湿度調整体１０３を図１７で示される状態で維持すると、第１の実施の形態と同様の理由で、湿度調整体１０３の除湿・再生（加湿）の機能が低下する。
【０１０７】
そこで、回転型ダンパ６を方向Ｘの周りに９０度回動させる（図１８）。図１８においては、方向Ｙ，Ｚが９０度回転されることによっても湿度調整体１０３の回動を示している。図１８では、吸気口７０５ａと排気口７０５ｂとは遮蔽板対６２ａ，６２ｂ及び隔離壁７３によって分断されつつ、遮蔽板対６１ａ，６１ｂの間の開口を介して連通している。同様に、吸気口７０６ａと排気口７０６ｂとは遮蔽板対６１ａ，６１ｂ及び隔離壁７３によって分断されつつ、遮蔽板対６２ａ，６２ｂの間の開口を介して連通している。
【０１０８】
よって、吸気口７０５ａから吸入された室外側の気体は、ヒートシンク２０側を通って排気口７０５ｂから室内側へと排出される（矢印ＳＡ）。また、吸気口７０６ａから吸入された室内側の気体は、ヒートシンク３０側を通って排気口７０６ｂから室外側へと排出される（矢印ＥＡ）。
【０１０９】
このとき、転流回路８では、一対のスイッチＳが端子８Ｂに接触するように切り替えられる。つまり、ペルチェモジュール１において、ヒートシンク２０側の面１ａは吸熱面、ヒートシンク３０側の面１ｂは発熱面となる。
【０１１０】
よって、吸気口７０６ａから吸入された気体は、ヒートシンク３０側（発熱面側）の吸湿剤を乾燥する。また、吸気口７０５ａから吸入された気体は、ヒートシンク２０側（休熱面側）の吸湿剤によって除湿される。この吸湿の際に発生する吸着熱は面１ａによって吸熱されるので、除湿に起因する室内温度の上昇を抑制できる。換言すれば室内冷房時の除湿に適している。
【０１１１】
繰り返して、回転型ダンパ６を方向Ｘの周りに９０度回動させ、その度に転流回路８でのスイッチＳの切り替えを行うことにより、図１７及び図１８で示された状態が相互に切り替わる。かかる動作により、給排気装置７Ｃに室内を除湿させ、かつその機能を長く維持することができる。
【０１１２】
上記の動作において、面１ａ，１ｂの吸熱／発熱の機能を逆にすることにより、給排気装置７Ｃに室内を加湿させ、かつその機能を長く維持することができる。この場合、吸気口７０５ａから吸入された気体は、発熱面側の吸湿剤によって加湿される。この加湿側の吸湿剤にペルチェモジュール１から与えられる熱は、加湿時の脱着熱に起因する室内温度の低下を抑制できる。換言すれば室内暖房時の加湿に適している。また、吸気口７０６ａから吸入された気体は、吸熱面側の吸湿剤に湿度を与える。
【０１１３】
上述の内容において、吸気口７０５ａ，７０６ａの各々を第１、第２吸気口、排気口７０５ｂ，７０６ｂの各々を第１、第２排気口と把握できる。この場合、給排気装置７Ｃは次のように把握することができる。つまり、給排気装置７Ｃは、遮蔽体６、湿度調整体１０３、第１吸気口７０５ａ、第２吸気口７０６ａ、第１排気口７０５ｂ、第２排気口７０６ｂ及び隔離壁７３を備える。第１吸気口７０５ａ及び第１排気口７０５ｂは、第１の遮蔽板対６１ａ，６１ｂ及び第２の遮蔽板対６２ａ，６２ｂの一方を介して相互に連通する。第２吸気口７０６ａ及び第２排気口７０６ｂは、第１の遮蔽板対６１ａ，６１ｂ及び第２の遮蔽板対６２ａ，６２ｂの他方を介して相互に連通する。隔離壁７３は、湿度調整体１０３と共に、第１吸気口７０５ａ及び第１排気口７０５ｂと、第２吸気口７０６ａ及び第２排気口７０６ｂとを相互に隔離する。
【０１１４】
上述した給排気装置７Ｃによれば、熱電素子１の第１面１ａが吸熱面として機能する場合、第１の柱２２に担持された吸湿剤での吸着熱が熱電素子１に吸収される。よって気体の温度を暖めることなく、除湿後の気体を排出することができる。この際、第２面１ｂが発熱面として機能するので、第２の柱３２に担持された吸湿剤を再生することができる。あるいは第２の柱３２に担持された吸湿剤から放出される水分で加湿を行うこともできる。
【０１１５】
しかも、軸（方向Ｘ）の周りで遮蔽体６が回動自在であるので、これを回動させることにより、所定の方向から与えられる気体を、湿度調整体１０３における第２方向Ｙと第３方向Ｚとに切り替えて導くことができる。よってこの気体を導く方向を切り替える際に、熱電素子１の第１面１ａと第２面１ｂのいずれの一方を吸熱面とし、他方を発熱面とするかの切り替えも行うことにより、再生された吸湿剤による吸湿を効率良く行うことができる。あるいは再生時の吸湿剤による加湿を効率良く行うことができる。
【０１１６】
そして第１吸気口７０５ａと第１排気口７０５ｂとの間を流れる気体に対して除湿あるいは加湿を行いつつ、第２吸気口７０６ａと第２排気口７０６ｂとの間を流れる気体に対してそれぞれ湿度の排出あるいは湿度の吸収を行うことができる。湿度調整体１０３を囲む遮蔽体６を軸（方向Ｘ）の周りで回動させることにより、吸湿剤の再生と吸湿とを簡易な構成で並行して容易に行うことができる。
【０１１７】
また、第１の実施の形態と同様の理由により、遮蔽体６の回動のタイミングを制御することで、気体の温度と湿度とを調整することができる。
【０１１８】
上述したいずれの実施の形態においても、給排気装置７Ａ〜７Ｃは、同等の除湿もしくは加湿の性能を有すると考えられる。いずれの給排気装置を用いるかについては、作製の容易さ、コスト等から決定することができる。
【図面の簡単な説明】
【０１１９】
【図１】第１の実施の形態で説明される、湿度調整体を概念的に示す斜視図である。
【図２】第１の実施の形態で説明される、給排気装置を概念的に示す平面図である。
【図３】湿度調整体が９０度回動した、給排気装置を概念的に示す平面図である。
【図４】ペルチェモジュールの消費電力と吸熱量との関係を示す図である。
【図５】ペルチェモジュールの消費電力と吸熱量との関係を示す図である。
【図６】吸気口・排気口の配置が示された、給排気装置を示す平面図である。
【図７】吸気口・排気口の配置が示された、給排気装置を示す平面図である。
【図８】吸気口・排気口の配置が示された、給排気装置を示す平面図である。
【図９】吸気口・排気口の配置が示された、給排気装置を示す平面図である。
【図１０】第２の実施の形態で説明される、湿度調整体を概念的に示す斜視図である。
【図１１】第２の実施の形態で説明される、給排気装置を概念的に示す平面図である。
【図１２】湿度調整体が１８０度回動した、給排気装置を概念的に示す平面図である。
【図１３】吸気口・排気口の配置が示された、給排気装置を示す平面図である。
【図１４】吸気口・排気口の配置が示された、給排気装置を示す平面図である。
【図１５】吸気口・排気口の配置が示された、給排気装置を示す平面図である。
【図１６】吸気口・排気口の配置が示された、給排気装置を示す平面図である。
【図１７】第２の実施の形態で説明される、給排気装置を概念的に示す平面図である。
【図１８】回転型ダンパが９０度回動した、給排気装置を概念的に示す平面図である。
【図１９】回転型ダンパと湿度調整体とを概念的に示す斜視図である。
【符号の説明】
【０１２０】
１  ペルチェモジュール（熱電素子）
１ａ，１ｂ  面
２〜５，２０，３０  ヒートシンク
６  回転型ダンパ（遮蔽体）
７Ａ〜７Ｃ  給排気装置
８  転流回路
９  直流電源
２２，３２  フィン（柱）
６１ａ，６１ｂ，６２ａ，６２ｂ  遮蔽板対
７１〜７３  隔離壁
１０１〜１０３  湿度調整体
１３２，１３３  換気用ダンパ（隔離壁）
７０１ａ〜７０６ａ，７０１ｃ，７０２ｃ  吸気口
７０１ｂ〜７０６ｂ  排気口
Ｘ，Ｙ，Ｚ，Ｙ１，Ｙ２  方向
【図１】
2005230716.tif 000003
【図２】
2005230716.tif 000004
【図３】
2005230716.tif 000005
【図４】
2005230716.tif 000006
【図５】
2005230716.tif 000007
【図６】
2005230716.tif 000008
【図７】
2005230716.tif 000009
【図８】
2005230716.tif 000010
【図９】
2005230716.tif 000011
【図１０】
2005230716.tif 000012
【図１１】
2005230716.tif 000013
【図１２】
2005230716.tif 000014
【図１３】
2005230716.tif 000015
【図１４】
2005230716.tif 000016
【図１５】
2005230716.tif 000017
【図１６】
2005230716.tif 000018
【図１７】
2005230716.tif 000019
【図１８】
2005230716.tif 000020
【図１９】
2005230716.tif 000021